(57)【特許請求の範囲】
【請求項１】
レンズを備えた移動体と、
バネ部材を介して前記移動体を光軸方向に移動可能に支持する固定体と、
前記移動体を光軸方向に駆動する磁気駆動機構と、を有するレンズ駆動装置において、
前記バネ部材は、前記移動体に取り付けられる第一取り付け部と、前記固定体に取り付けられる第二取り付け部と、これらの間に形成されたバネ部と、を備え、
前記第二取り付け部には、前記固定体に形成された突部に係合する孔が形成され、当該孔は、当該突部を自在に係合可能な領域と、前記第二取り付け部から前記バネ部に向かって該領域の一部から突出する切り欠きが形成された領域と、を設けることにより非円形となされ、
前記孔に前記突部を係合した状態で溶着により当該突部を溶融することにより、溶融した突部が前記切り欠きにも充填されて固化して、前記バネ部材の前記第二取り付け部が前記固定体に固定されていることを特徴とするレンズ駆動装置。
【請求項２】
前記第一取り付け部は、前記移動体に形成された突部に係合する孔であり、該孔の形状は非円形であることを特徴とする請求項１記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する磁気駆動機構を備えており、スイッチの切り替えによってこの磁気駆動機構を駆動し、レンズを光軸方向に移動させることができるようになっている。例えば、レンズを備えた移動体と、光軸方向において離間する２箇所に配置された２枚の板バネを介して、移動体を光軸方向に移動可能に支持する固定体と、コイルとマグネットにより、移動体を光軸方向に駆動する磁気駆動機構と、を有するレンズ駆動装置が提案されている。また、コイルから引き出された２本のコイル端部を、各々２枚の板バネに接続し、２枚の板バネを介してコイルに給電する構造のレンズ駆動装置が提案されている（例えば特許文献１，２参照）。
【０００４】
ここで、これら２枚の板バネのうち撮像素子側に位置する板バネは、ホルダー（台座）に溶着させ又は接着剤を塗布することによって固定している。より具体的には、例えば、ホルダーには円柱状のダボを形成し、板バネには丸穴を開け、これらを嵌め合わせた後、ダボを溶着させることによって、板バネをホルダーに固定している。
【０００５】
【特許文献１】特開２００５−１２８３９２号公報
【特許文献２】特開２００６−２０１５２５号公報
【発明の開示】
【発明が解決しようとする課題】
【０００６】
しかしながら、板バネをホルダーに固定する際、より確実に抜け止めとはなるが、嵌め込み形状が円形であるため、例えば、溶着時に板バネが回転してしまう虞がある。この場合、板バネの足が変形したまま取り付けられたり（これにより、バネ定数が変化してしまう）、板バネ自体が塑性変形してしまったりする等のおそれがある。
【０００７】
本発明は、以上の点に鑑みてなされたものであり、その目的は、板バネをホルダーに固定する際、板バネが回転してしまうのを防ぐことができ、ひいては板バネの特性変化を防ぐことが可能なレンズ駆動装置を提供することにある。
【課題を解決するための手段】
【０００８】
以上のような課題を解決するために、本発明は、以下のものを提供する。
【０００９】
（１）  レンズを備えた移動体と、バネ部材を介して前記移動体を光軸方向に移動可能に支持する固定体と、前記移動体を光軸方向に駆動する磁気駆動機構と、を有するレンズ駆動装置において、前記バネ部材は、前記移動体に取り付けられる第一取り付け部と、前記固定体に取り付けられる第二取り付け部と、これらの間に形成されたバネ部と、を備え、前記第二取り付け部には、前記固定体に形成された突部に係合する孔が形成され、当該孔は、当該突部を自在に係合可能な領域と、前記第二取り付け部から前記バネ部に向かって該領域の一部から突出する切り欠きが形成された領域と、を設けることにより非円形となされ、前記孔に前記突部を係合した状態で溶着により当該突部を溶融することにより、溶融した突部が前記切り欠きにも充填されて固化して、前記バネ部材の前記第二取り付け部が前記固定体に固定されていることを特徴とするレンズ駆動装置。
【００１０】
本発明によれば、移動体と固定体と磁気駆動機構を有するレンズ駆動装置において、バネ部材のうち固定体に取り付けられる第二取り付け部には、固定体に形成された突部に係合する孔が形成されるとともに、その孔の形状は、非円形であることとしたので、例えば、バネ部材を固定体に溶着で固定する際、バネ部材が回転してしまうのを防ぐことができ、ひいてはバネ部材の足が変形するのを防ぐことができ、また、バネ定数が変化してしまうのを防ぐことができる。
【００１１】
また、レンズ駆動装置の孔の形状は、前記バネ部が存在する側が延びて非円形となっていることを特徴とする。
【００１２】
本発明によれば、上述した孔の形状は、バネ部が存在する側が延びて非円形となっているので、孔の内周のうち面積的に余裕がある側を延ばすことによって、レンズ駆動装置の大型化を防ぎつつ、固定体に取り付けられたバネ部材の回り止めを実現することができる。
【００１３】
また、レンズ駆動装置の孔は、前記第二取り付け部から前記バネ部に向かって形成された切り欠きを有することを特徴とする。
【００１４】
本発明によれば、上述した孔は、第二取り付け部からバネ部に向かって形成された切り欠きを有することとしたので、簡易に孔の形状を非円形とすることができる。また、孔の形状を切り欠きによって非円形とすれば、簡易かつ低コストで、バネ部材の回り止め構造を実現することができる。
【発明の効果】
【００１５】
（２）  前記第一取り付け部は前記移動体に形成された突部に係合する孔であり、該孔の形状は非円形であることを特徴とするレンズ駆動装置。
【００１６】
本発明によれば、移動体と固定体と磁気駆動機構を有するレンズ駆動装置において、バネ部材のうち移動体に取付けられる第一取付け部には、移動体に形成された突部に係合する孔が形成されるとともに、その孔の形状は、非円形であることとしたので、バネ部材を固定体に固定する際、溶着時にバネ部材が回転してしまうのを防ぐことができ、ひいてはバネ部材の足が変形するのを防ぐことができ、また、バネ定数が変化してしまうのを防ぐことができる。
【００１７】
本発明に係るレンズ駆動装置によれば、バネ部材の回り止め構造を設けることで、バネ定数の変化を防いだり、バネ部材の塑性変形を防いだりすることができ、ひいてはバネ部材の特性変化を防ぐことができる。
【発明を実施するための最良の形態】
【００１８】
以下、本発明を実施するための最良の形態について、図面を参照しながら説明する。
【００１９】
［機械構成］
図１は、本発明の実施の形態に係るレンズ駆動装置１の外観構成を示す斜視図である。図２は、図１に示すレンズ駆動装置１をＡ−Ａ'で切断したときの断面図である。
【００２０】
図１及び図２において、レンズ駆動装置１は、キャップ１１と、板状カバー１２と、ヨーク１３と、マグネット１４１，１４２と、第一の板バネ１５と、ワイヤースプリング１６と、スリーブ１７０と、第一のコイル１７１及び第二のコイル１７２と、第二の板バネ１８と、ホルダー１９と、を有している。
【００２１】
なお、説明の便宜上、一又は複数枚のレンズを備え、スリーブ１７０の内部に取り付ける円筒状のレンズホルダは、図示を省略している。そして、レンズ駆動装置１は、スリーブ１７０を、光軸Ｌ方向に沿って被写体（撮像対象）に近づくＡ方向（前側）、および、被写体とは反対側（像側）に近づくＢ方向（後側）の双方向に移動させるものである。
【００２２】
また、スリーブ１７０と、第一のコイル１７１及び第二のコイル１７２とは、「移動体」の一例として機能する（第一のコイル１７１及び第二のコイル１７２については、後述するように「磁気駆動機構」の一例としても機能する）。キャップ１１と、板状カバー１２と、ヨーク１３と、ホルダー１９は、第一の板バネ１５及び第二の板バネ１８を介して、移動体を光軸方向に移動可能に支持する「固定体」の一例として機能する。本実施形態では、固定体の外周形状は、略長方形となっている。
【００２３】
キャップ１１は、板状カバー１２の被写体側を覆うものであって、キャップ１１及び板状カバー１２の中央には、被写体からの反射光をレンズに取り込むための円形の入射窓が各々形成されている。ヨーク１３は、板状カバー１２とホルダー１９との間に挟持されることになり、例えば鋼板などの強磁性板から構成され、角筒状を呈している。また、ヨーク１３は、レンズ駆動装置１の側面で露出し、その側面部を構成している。ホルダー１９は、像側で撮像素子（図示せず）を保持するものである。
【００２４】
移動体は、上述したように、スリーブ１７０と、第一のコイル１７１と、第二のコイル１７２と、を有している。第一のコイル１７１及び第二のコイル１７２は、スリーブ１７０の外周面に光軸Ｌ方向に２段に配置され、移動体の形状は円環状となっている。なお、移動体は、固定体を構成するヨーク１３の内周に収納されており、それぞれ形状の違いから、ヨーク１３の内周面の４箇所の角部分には、スペースが形成されている。そこで、マグネット１４１，１４２は、第一のコイル１７１及び第二のコイル１７２に対して外周側で対向し、ヨーク１３の内周面のうち４箇所の角部分に固定される。
【００２５】
マグネット１４１，１４２は、それぞれ４個のマグネット片からなり（ヨーク１３の内周面の４箇所に対応）、いずれのマグネット片においても内面と外面とが異なる極に着磁されている。また、例えば、前側のマグネット１４１では内面がＮ極に着磁され、外面がＳ極に着磁され、後側のマグネット１４２では、内面がＳ極に着磁され、外面がＮ極に着磁されている。さらに、前側のマグネット１４１は、第一のコイル１７１に対向するように配置され、後側のマグネット１４２は、第二のコイル１７２に対向するように配置されている。
【００２６】
なお、マグネット１４１，１４２と、第一のコイル１７１及び第二のコイル１７２は、移動体を光軸Ｌ方向に駆動する「磁気駆動機構」の一例として機能する。また、本実施形態では、マグネット１４１，１４２の外周面に設けられたヨーク１３は、「磁気駆動機構」の構成要件の一つとなっている。
【００２７】
第一の板バネ１５及び第二の板バネ１８は、金属からなり、固定体と移動体との間に取付けられ、移動体の光軸方向への移動に対して付勢するように作用している。第一の板バネ１５は、板状カバー１２面上に載置され、その固定体側の端部が板状カバー１２に保持される。また、第二の板バネ１８は、ホルダー１９面上に載置され、その固定体側の端部がホルダー１９に保持される。なお、本実施形態では、第一の板バネ１５及び第二の板バネ１８は、双方とも金属製の薄板から形成されており、光軸Ｌ方向における厚さを同じにしている。これにより、生産性を高めることができる。
【００２８】
ヨーク１３は、第一のコイル１７１及び第二のコイル１７２が配置されている領域の光軸Ｌ方向の寸法、および、マグネット１４１，１４２の光軸Ｌ方向の寸法よりも大きくなっているため、マグネット１４１と第一のコイル１７１との間に構成される磁路、及び、マグネット１４２と第二のコイル１７２との間に構成される磁路からの漏れ磁束を少なくすることができる。その結果、スリーブ１７０の移動量と、第一のコイル１７１及び第二のコイル１７２に流す電流との間のリニアリティの向上に貢献できる。
【００２９】
レンズ駆動装置１は、スリーブ１７０によって保持される、円環状のワイヤースプリング（磁性部材）１６を備えている。ワイヤースプリング１６は、マグネット１４１との間に作用する磁気吸引力により、移動体に対して光軸Ｌ方向の付勢力を印加する。このため、移動体が無通電時に自重で変位することを防止することができ、ひいては移動体に所望の姿勢を維持させることができる。なお、このワイヤースプリング１６は、移動体のうち被写体側（前側）の端面に配置されるとともに、移動体と第一の板バネ１５との間に介在するように配置されている。
【００３０】
ここで、上述したように第二の板バネ１８は、ホルダー１９に載置されている。具体的な載置態様について、図３、図４を用いて詳述する。
【００３１】
図３（ａ）は、第二の板バネ１８がホルダー１９に載置されている様子を示す図であり、図３（ｂ）は、同じ第二の板バネ１８がスリーブ１７０に載置されている様子（後側から見た様子）を示す図である。図４（ａ）は、図３の点線枠Ｘで囲まれた部分を拡大したときの様子を示す拡大図であり、図４（ｂ）及び図４（ｃ）は、図４（ａ）に示した、第二の板バネ１８を溶着したときの様子を示す図である。
【００３２】
図３及び図４において、第二の板バネ１８は、電気的に分離された２枚のバネ片１８ａ，１８ｂからなっている。すなわち、光軸Ｌ方向の一箇所に位置する第二の板バネ１８は、電気的に分割されたバネ片１８ａ，１８ｂを備えている。バネ片１８ａ（１８ｂ）は、図３（ａ）に示すように、樹脂形成されたホルダー１９に保持（固定）される２つの第二取り付け部１８５ａ，１８５ｂ（１８６ａ，１８６ｂ）と、スリーブ１７０の下端部に取付けられる円弧状した載置部１８ｃ（１８ｄ）と、一部が切り欠かれた略孔形状からなる複数の第一取り付け部１８７ａ〜１８７ｃ（１８７ｄ〜１８７ｆ）と、載置部１８ｃ，１８ｄを介して第二取り付け部１８５ａ，１８５ｂ（１８６ａ，１８６ｂ）と第一取り付け部１８７ａ〜１８７ｃ（１８７ｄ〜１８７ｆ）を連結する２本のバネ部１８８ａ，１８８ｂ（１８９ａ，１８９ｂ）と、を備えている。さらに、バネ片１８ａ，１８ｂの４つの第二取り付け部１８５ａ，１８５ｂ（１８６ａ，１８６ｂ）は、ホルダー１９面上に保持され、バネ部１８８ａ，１８８ｂ（１８９ａ，１８９ｂ）は、移動体の光軸Ｌ方向への移動に合せて変位可能にホルダー１９の面に載置されている。
【００３３】
なお、図３（ｂ）に示すように、スリーブ１７０の下端部には、撮像素子側（図４では紙面奥側）に延びる複数の突部１７１ａ〜１７１ｆが形成されている。したがって、第一取付け部１８７ａ〜１８７ｆと、これら突部１７１ａ〜１７１ｆとが係合する。
【００３４】
一方で、ホルダー１９の四隅には、被写体側（図４では紙面手前側）に延びる突部１９１が形成されている。したがって、第二取り付け部１８５ａ，１８５ｂ（１８６ａ，１８６ｂ）に形成された孔１８５０ａ、１８５０ｂ（１８６０ａ、１８６０ｂ）と、この突部１９１が係合する。これらの係合によって、バネ片１８ａ，１８ｂはホルダー１９に保持されることになる。
【００３５】
また、本実施形態では、第一取付け部１８７ａ〜１８７ｆと突部１７１ａ〜１７１ｆ、及び、第二取付け部１８５ａ，１８５ｂ（１８６ａ，１８６ｂ）に形成された孔１８５０ａ、１８５０ｂ（１８６０ａ、１８６０ｂ）と各突部１９１とはそれぞれ溶着によって固定される。
【００３６】
具体的には、図３（ａ）は、第二取付け部１８５ａ、１８５ｂ（１８６ａ、１８６ｂ）に形成された孔１８５０ａ、１８５０ｂ（１８６０ａ、１８６０ｂ）に、突部１９１がそれぞれ嵌まり、突部１９１の先端がこれら孔から突き出た状態となる。この状態において、図示しないが、例えば、熱溶着装置を突部１９１の先端へ適宜な押し圧で押し付け保持しながら、突部１９１を過熱する。樹脂の溶融温度に達すると、突部１９１は押し圧力で潰されるとともに、第二取付け部１８５ａ、１８５ｂ（１８６ａ、１８６ｂ）の面に充満される。この後、図示しない冷却装置を用いて、溶融された箇所が十分に冷却され樹脂が固化される。これにより、バネ片１８ａ，１８ｂが固定される。
【００３７】
さらに詳述すると、図４（ｂ）に示すように、第二取り付け部１８５ｂに形成された孔１８５０ｂの形状は、非円形となっている（第二取り付け部１８５ａ，１８６ａ，１８６ｂについても同様である）。より具体的には、第二取り付け部１８５ｂに形成された孔１８５０ｂの形状は、バネ部１８８ｂが存在する側が延びて切り欠き１８５０ｂ'を形成しており、その結果、非円形となっている。このような形状にすることで、上述したように、突部１９１を過熱して溶融する際、溶融した樹脂が、切り欠き１８５０ｂ'に充填されて固化される。これにより、バネ片１８ａが回転するのを防ぐことができ、ひいてはバネ片１８ａの特性変化を防ぐことができる。なお、他の第二取付け部１８５ａ，１８６ａ，１８６ｂについても同様であるので、ここでの説明は省略する。
【００３８】
一方で、第一取付け部１８７ａ〜１８７ｃ（１８７ｄ〜１８７ｆ）がスリーブ１７０に溶着により固定されるが、溶着の説明は上述したものと同じであるので、ここでの説明は省略する。さらに、上述は、第二の板バネ１８について説明したが、図２に示す第一の板バネ１５において、上記に示した第二の板バネ１８とは、電気的に分離された２枚のバネ片となってない点で異なっており、あとは、ほぼ同じ構成となっている。そこで、第一の板バネ１５の溶着による固定についての説明は省略する。
【００３９】
［基本動作］
本実施形態に係るレンズ駆動装置１において、移動体は、通常（第一のコイル１７１及び第二のコイル１７２の無通電時）は、撮像素子側（像側）に位置する。具体的には、スリーブ１７０の下端面（像側面）がホルダー１９の上面（前側面）に当接した状態である。
【００４０】
ここで、ワイヤースプリング１６は、マグネット１４１との間に作用する吸引力によって、移動体の変位を規制している。ただし、ワイヤースプリング１６とマグネット１４１との距離はある程度保たれているため、ワイヤースプリング１６とマグネット１４１との吸引力が強くなり過ぎることはない。これにより、移動体の中心軸がずれるのを防ぎ、ひいてはチルト特性の悪化を防いでいる。
【００４１】
このような状態において、第一のコイル１７１及び第二のコイル１７２に所定方向の電流を流すと、第一のコイル１７１及び第二のコイル１７２は、それぞれ上向き（前側）の電磁力を受けることになる。これにより、第一のコイル１７１及び第二のコイル１７２が固着されたスリーブ１７０は、被写体側（前側）に移動し始める。このとき、第一の板バネ１５とスリーブ１７０の後端との間、及び第二の板バネ１８とスリーブ１７０の前端との間には、それぞれスリーブ１７０の移動を規制する弾性力が発生する。このため、スリーブ１７０を前側に移動させようとする電磁力と、スリーブ１７０の移動を規制する弾性力が釣り合ったとき、スリーブ１７０は停止する。また、第一のコイル１７１及び第二のコイル１７２に逆方向の電流を流すと、第一のコイル１７１及び第二のコイル１７２は、それぞれ下向き（後側）の電磁力を受けることになる。
【００４２】
なお、本実施形態では、第一の板バネ１５と第二の板バネ１８は、スリーブ１７０が前側に移動するのにあわせて、その載置部１８ｃ，１８ｄが、（バネ定数が変化する場合もあり、また、移動体の光軸Ｌ方向の制御に変化を起こさない程度であるが、）回転移動する。言い換えれば第一の板バネ１５と、第二の板バネ１８はわずかに捩れるように、移動体が光軸Ｌ方向に移動する。
【００４３】
その際、第一のコイル１７１及び第二のコイル１７２に流す電流量と、第一の板バネ１５及び第二の板バネ１８によってスリーブ１７０に働く弾性力を調整することで、スリーブ１７０（移動体）を所望の位置に停止させることができる。なお、移動体に保持させたワイヤースプリング１６とマグネット１４１，１４２との付勢力も利用することで、移動体に光軸方向の推進力を発生させる磁気駆動機構の小型化を図ることができる。また、電磁力と弾性力との釣り合いを利用してスリーブ１７０を停止させることで、衝突音の発生を防ぐことができるようになっている。
【００４４】
［実施形態の効果］
以上説明したように、本実施形態に係るレンズ駆動装置１によれば、第一取付け部１８７ａ〜１８７ｆ、及び第二取付け部１８５ａ，１８５ｂ（１８６ａ，１８６ｂ）に形成された孔を非円形の形状としたので、ホルダー１９の突部１９１を溶着させる際に、第一の板バネ１５、及び第二の板バネ１８（バネ片１８ａ，１８ｂ）が回転するのを防ぐことができる。その結果、第一の板バネ１５及び第二の板バネ１８が、塑性変形したり、そのバネ定数が変化したりしてしまうのを防ぐことができ、ひいては特性変化を防ぐことができる。
【００４５】
また、本実施形態に係るレンズ駆動装置１では、第二取り付け部１８５ａ，１８５ｂ（１８６ａ，１８６ｂ）に形成された孔は、それぞれバネ部１８８ａ，１８８ｂ（１８９ａ，１８９ｂ）が存在する側が延びて非円形の形状となっている。これにより、面積的に余裕のある側で非円形とすることができ、ひいてはレンズ駆動装置１が大型化するのを防ぐことができる。
【００４６】
また、バネ部１８８ａ，１８８ｂ（１８９ａ，１８９ｂ）が存在する側が延びて非円形の形状となっていることにより、バネ部１８８ａ，１８８ｂ（１８９ａ，１８９ｂ）のより近傍を固定することができるため、溶着の剥がれを防止できる。
【００４７】
さらに、第一取付け部１８７ａ〜１８７ｆ、及び第二取り付け部１８５ａ，１８５ｂ（１８６ａ，１８６ｂ）に形成された孔が非円形形状となることで、接着面が増加することになる結果、落下衝撃時のはずれ防止に寄与することもできる。なお、スリーブ１７０が移動して第一の板バネ１５及び第二の板バネ１８が捩れた場合でも、第一取付け部及び第二取付け部によって確実に固定されているため、第一の板バネ１５、及び第二の板バネ１８の回転や剥がれを防止することができる。
【００４８】
［変形例］
図５は、第二取り付け部についての変形例を示す図である。
【００４９】
本実施形態では、図５（ａ）に示すように、孔１８５０ｂを例として説明すれば、内周のうちバネ部が存在する側を延ばすこととしたが、例えば図５（ｂ）に示すように、第二取付け部からバネ部に向かって切り欠きを形成することとしてもよい（勿論、バネ部に向かってなくてもよい）。これにより、簡易かつ低コストで、バネ部材の周り止め構造を実現することができる。その他、図５（ｃ）や図５（ｄ）に示すような形状であってもよい。さらに、図５（ｅ）に示すように、孔１８５０ｂと切り欠き１８５０ｂとが別々に形成されていてもよい。また、本実施形態では第二取付け部とバネ部を一体化しているが、例えば別体としてもよい。
【００５０】
また、本実施形態では、第一取付け部１８７ａ〜１８７ｃ（１８７ｄ〜１８７ｆ）は、一部が切り欠かれた略孔形状として説明したが、本発明はこれに限られず、第一取付け部１８７ａ〜１８７ｃ（１８７ｄ〜１８７ｆ）を所定の方向に延ばしたり、上記のとおり図５（ａ）〜図５（ｅ）で説明したような構造にしたりしてもよい。
【００５１】
また、本実施形態では、第一の板バネ１５、第二の板バネ１８の第一の取付け部、第二の取付け部は、突部１７１ａ〜１７１ｆ、および１９１と溶着されて固定する例を説明したが、別途、上述した溶着後に接着剤も塗布してもよいし、接着剤を用いた固定だけでもよい。すなわち、接着剤が非円形の孔に充填されることで、回転を防止することができる。
【００５２】
また、第一取付け部１８７ａ〜１８７ｆ、及び第二取付け部１８５ａ，１８５ｂ（１８６ａ，１８６ｂ）は必ずしも両方が非円形形状である必要はなく、いずれか一方が非円形形状であればよい。また、第一、第二のいずれの取付け部においても、非円形にする個所、数については適宜変更できるものとする。
【００５３】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００５４】
本発明に係るレンズ駆動装置は、ホルダーとの溶着時において、バネ部材の周り止め構造を実現することが可能なものとして有用である。
【図面の簡単な説明】
【００５５】
【図１】本発明の実施の形態に係るレンズ駆動装置の外観構成を示す斜視図である。
【図２】図１に示すレンズ駆動装置をＡ−Ａ'で切断したときの断面図である。
【図３】第二の板バネが固定体及び移動体に載置されている様子を示す図であり、（ａ）は、第二の板バネが固定体としてのホルダーに載置されている様子を示す図であり、（ｂ）は、同じ第二の板バネが移動体としてのスリーブに載置されている様子を示すである。
【図４】図４（ａ）は、図３の点線枠Ｘで囲まれた部分を拡大したときの様子を示す拡大図であり、（ｂ）及び（ｃ）は、（ａ）に示した第二の板バネを溶着したときの様子を示す図である。
【図５】第二取り付け部についての変形例を示す図である。
【符号の説明】
【００５６】
１  レンズ駆動装置
１１  キャップ
１２  板状カバー
１３  ヨーク
１４  マグネット
１５  第一の板バネ
１６  ワイヤースプリング
１７０  スリーブ
１７１  第一のコイル
１７２  第二のコイル
１８  第二の板バネ
１９  ホルダー
２０  ターミナル
１８７ａ〜１８７ｆ  第一取付け部
１８５ａ，１８５ｂ、１８６ａ，１８６ｂ  第二取付け部
【図１】
0005146953.tif 000002
【図２】
0005146953.tif 000003
【図３】
0005146953.tif 000004
【図４】
0005146953.tif 000005
【図５】
0005146953.tif 000006